(57)【要約】      （修正有）【課題】打撃時にゴルフクラブのシャフトが回動不能となるように、ゴルフクラブのシャフトにグリップを強固に結合する。【解決手段】シャフト１と、シャフトの末端を挿入可能な嵌合空間を形成したグリップスリーブ２と、グリップスリーブの内部で拡縮自在に収容されて、シャフトを把持、開放可能な締め子３とを含む。【選択図】図１
0003140309.tif 000002
【実用新案登録請求の範囲】
【請求項１】
シャフトと、グリップスリーブと、締め子とを具備し、
前記グリップスリーブはシャフトの末端を挿入可能な嵌合空間が形成してあり、前記嵌合空間の一側の下端に窪み空間が形成してあり、前記窪み空間に対応する周壁に貫通空間が開設してあり、前記嵌合空間の他側の下端に前記窪み空間に対応する浅い溝が形成してあり、
前記締め子はグリップスリーブの窪み空間と浅い溝とに収容され、前記グリップスリーブの窪み空間内に設置される位置決め台が設けてあり、前記位置決め台には、前記シャフトを締めるための締めリングが挿通してあり、前記締めリングに対応する箇所には締めリングを拡径、又は縮径する連動軸が前記貫通空間に対応して設けてあることを特徴とする、
ゴルフクラブのシャフトとグリップの結合構造。
【請求項２】
前記グリップスリーブは、第一ケーシング部と、第二ケーシング部と、を含み、前記第一ケーシング部と第二ケーシング部とは、その断面形状がそれぞれ半円形を呈し、その中央に長手方向に沿った長い溝がそれぞれ設けてあり、前記第一ケーシング部と第二ケーシング部とにより嵌合空間を形成することを特徴とする、請求項１に記載のゴルフクラブのシャフトとグリップの結合構造。
【請求項３】
窪み空間は、前記第一ケーシング部の長手方向と垂直する方向に沿って前記第一ケーシング部の下端に設けられ、浅い溝は、前記第二ケーシング部の長手方向と直交する方向に沿って前記第二ケーシング部の下端に設けられ、前記窪み空間の内部には位置決め穴が少なくとも一つ設けてあり、前記締め子の位置決め台の周辺には少なくとも一つの延長片が伸びており、前記延長片には前記第一ケーシング部の位置決め穴に対応する貫通孔が開設してあり、ロック子は前記貫通孔を挿通して前記位置決め穴に締付け可能であり、これにより、前記第一ケーシング部に前記締め子を固定可能であることを特徴とする、請求項２に記載のゴルフクラブのシャフトとグリップの結合構造。
【考案の詳細な説明】
【技術分野】
【０００１】
本考案は、ゴルフクラブのシャフトとグリップの結合構造に係り、特に、ゴルフクラブのシャフトにグリップを強固に結合可能であり、ゴルフボールの打撃時にゴルフクラブのシャフトが回動不能であるので、ゴルフボールへの狙いを確実に決めることが可能となる、ゴルフクラブのシャフトとグリップの結合構造に関するものである。
【背景技術】
【０００２】
一般に、ゴルフクラブのシャフトの末端にはグリップスリーブが結合してある。グリップスリーブにより、ユーザはゴルフクラブのシャフトを確実に握ることが可能であると共に、ゴルフボールの打撃時に生じる振動を低減することが可能となる。
【０００３】
ゴルフクラブのシャフトの末端にグリップスリーブを挿入して結合する構造が米国特許第６６２６７６８号公報により開示されている。
この結合構造はシャフトとグリップスリーブを嵌合することだけによって結合するので、シャフトにグリップスリーブを強固に嵌合することができず、グリップスリーブは依然としてシャフトに対して回動可能であるため、ゴルフボールに狙いを確実に決めることができない。
【０００４】
また、米国特許第６９８８９５８号公報には、グリップスリーブの内部に金属リングが埋め込んであり、金属リング及びグリップスリーブには互いに対応する締付穴が設けてあり、ねじを締付穴にねじ込んだ後、ねじの端部でゴルフクラブのシャフトの周面に締め付けて結合する構造が開示されている。
しかしながら、ねじ及びシャフトはともに金属製で、その表面が極めて平滑であるので、ねじをシャフトの周面に締め付けても、シャフトにグリップスリーブを強固に嵌合することができず、グリップスリーブは依然としてシャフトに対して回動可能であり、ゴルフボールに狙いを確実に決めることができない。
【考案の開示】
【考案が解決しようとする課題】
【０００５】
本考案の主な目的は、ゴルフクラブのシャフトにグリップを強固に結合可能であり、ゴルフボールを打撃しているときに、ゴルフクラブのシャフトが回動不能として、ゴルフボールへの狙いを確実に決めることが可能なゴルフクラブのシャフトとグリップの結合構造を提供することにある。
【課題を解決するための手段】
【０００６】
上記目的を達成するためになされた本願の第１考案は、シャフトと、グリップスリーブと、締め子とを具備し、前記グリップスリーブはシャフトの末端を挿入可能な嵌合空間が形成してあり、前記嵌合空間の一側の下端に窪み空間が形成してあり、前記窪み空間に対応する周壁に貫通空間が開設してあり、前記嵌合空間の他側の下端に前記窪み空間に対応する浅い溝が形成してあり、前記締め子はグリップスリーブの窪み空間と浅い溝とに収容され、前記グリップスリーブの窪み空間内に設置される位置決め台が設けてあり、前記位置決め台には、前記シャフトを締めるための締めリングが挿通してあり、前記締めリングに対応する箇所には締めリングを拡径、又は縮径する連動軸が前記貫通空間に対応して設けてあることを特徴とする、ゴルフクラブのシャフトとグリップの結合構造であることを要旨としている。
【０００７】
本願の第２考案では、前記グリップスリーブは、第一ケーシング部と、第二ケーシング部と、を含み、前記第一ケーシング部と第二ケーシング部とは、その断面形状がそれぞれ半円形を呈し、その中央に長手方向に沿った長い溝がそれぞれ設けてあり、前記第一ケーシング部と第二ケーシング部とにより嵌合空間を形成することを特徴とする、前記第１考案に記載のゴルフクラブのシャフトとグリップの結合構造であることを要旨としている。
【０００８】
本願の第３考案では、窪み空間は、前記第一ケーシング部の長手方向と垂直する方向に沿って前記第一ケーシング部の下端に設けられ、浅い溝は、前記第二ケーシング部の長手方向と直交する方向に沿って前記第二ケーシング部の下端に設けられ、前記窪み空間の内部には位置決め穴が少なくとも一つ設けてあり、前記締め子の位置決め台の周辺には少なくとも一つの延長片が伸びており、前記延長片には前記第一ケーシング部の位置決め穴に対応する貫通孔が開設してあり、ロック子は前記貫通孔を挿通して前記位置決め穴に締付け可能であり、これにより、前記第一ケーシング部に前記締め子を固定可能であることを特徴とする、前記第２考案に記載のゴルフクラブのシャフトとグリップの結合構造であることを要旨としている。
【考案の効果】
【０００９】
本考案のゴルフクラブのシャフトとグリップの結合構造によれば、ゴルフクラブのシャフトにグリップを強固に結合可能である。
そのため、ゴルフボールの打撃時にゴルフクラブのシャフトが回動不能となってゴルフボールへの狙いを確実に決めることが可能となるという効果がある。
【考案を実施するための最良の形態】
【００１０】
以下、添付した図面を参照しながら本考案の好適な実施の形態について詳細に説明する。
【００１１】
まず、本考案の分解斜視図である図１を参照して説明する。
本考案に係るゴルフクラブのシャフトとグリップの結合構造は、シャフト１と、グリップスリーブ２と、締め子３と、を含む。
【００１２】
前記シャフト１は、末端に開口１１が設けてあるチューブである。
【００１３】
前記グリップスリーブ２は、第一ケーシング部２１と、第二ケーシング部２２と、を含む。
前記第一ケーシング部２１と第二ケーシング部２２とは、その断面形状がそれぞれ半円形を呈し、その中央に長手方向に沿った長い溝２１１，２２１がそれぞれ設けてある。
前記第一ケーシング部２１の長い溝２１１以外の中実部分２１２には第一結合穴２１３が少なくとも一つ開設してある。本実施例では、前記第一結合穴２１３は貫通孔である。
また、前記第一ケーシング部２１の下端には前記第一ケーシング部２１の長手方向と垂直する方向に沿った窪み空間２１４が設けてあり、前記窪み空間２１４の一端が前記第一ケーシング部２１の中実部分２１２を貫通して貫通空間２１５を形成する。
前記窪み空間２１４の内部には位置決め穴２１６が少なくとも一つ設けてある。本実施例では、前記位置決め穴２１６がねじ穴である。
また、前記第二ケーシング部２２の長い溝２２１以外の中実部分２２２には第二結合穴２２３が少なくとも一つ開設してある。前記第二結合穴２２３が前記第一結合穴２１３に対応する。本実施例では、前記第二結合穴２２３はねじ孔である。
また、前記第二ケーシング部２２の下端には前記第二ケーシング部２２の長手方向と直交する方向に沿って浅い溝２２４が設けてある。前記浅い溝２２４は前記第一ケーシング部２１の窪み空間２１４に対応する。
【００１４】
前記締め子３は、前記グリップスリーブ２の窪み空間２１４内に設置される位置決め台３１が設けてある。前記位置決め台３１の周面には延長片３１１が少なくとも一つ伸びている。前記延長片３１１には、前記第一ケーシング部２１の位置決め穴２１６に対応する貫通孔３１２が開設してある。
前記位置決め台３１には締めリング３２と連動軸３３とが貫入してある。
前記締めリング３２には斜めに設けられた多数の長孔３２１が等距離に開設してある。
前記連動軸３３が締めリング３２に対応する箇所に設けられる。
図６に示すように、前記連動軸３３の周面に螺旋３３１が設けてある。
前記螺旋３３１のピッチは前記締めリング３２の長孔３２１のピッチと同じであり、前記連動軸３３を回転すると、前記締めリング３２が縮径し、又は拡径する。
【００１５】
次に、図２乃至図６を参照しながら本考案の組付方法を説明する。
まず、締め子３の位置決め台３１が第一ケーシング部２１の窪み空間２１４に対応するように、グリップスリーブ２の第一ケーシング部２１の下端に締め子３を設置する。ロック子４を締め子３の位置決め台３１の延長片３１１に開設された貫通孔３１２に貫入して第一ケーシング部２１の位置決め穴２１６に締め付けると、前記締め子３が第一ケーシング部２１に固定される。
次に、第一ケーシング部２１を第二ケーシング部２２を互いに相合わせる。
固定子５を第一ケーシング部２１の第一結合穴２１３に貫入して第二ケーシング部２２の第一結合穴２２３に締め付けると、前記締め子３にある締めリング３２の第二ケーシング部２２に対応する部分が浅い溝２２４に収容される。
このようにすることで、第一ケーシング部２１と第二ケーシング部２２と締め子３とが一体になる（本実施例では、固定子５がボルトであり）。
最後に、シャフト１の末端を、第一ケーシング部２１の長い溝２１１と、第二ケーシング部２２の長い溝２２１と、から構成される嵌合空間に挿入する。
その結果、連動軸３３の螺旋３３１が締めリング３２に開設された長孔３２１に対応する。
ドライバー等の工具を第一ケーシング部２１の貫通空間２１５に挿入して連動軸３３を回転すると、連動軸３３の回転方向によって締めリング３２が拡径し、又は縮径する。
これにより、シャフト１にグリップスリーブ２を強固に結合可能である。
【００１６】
また、グリップスリーブ２を交換する場合には、連動軸３３を緩めて締めリング３２を拡径するだけの操作で以ってシャフト１からグリップスリーブ２を取り外すことができる。しがって、グリップスリーブ２の交換作業は極めて容易である。
【００１７】
また、グリップスリーブ２の外周面に装飾スリーブ６を嵌挿してもよい。
装飾スリーブ６を設けることにより、第一ケーシング部２１と第二ケーシング部２２の境界が隠されると共に、第一ケーシング部２１の第一結合穴２１３及び前記第一結合穴２１３に貫入された固定子５も隠されて視覚的にきれいである。
【００１８】
上記の説明から明らかなように、本考案のゴルフクラブのシャフトとグリップの結合構造によれば、シャフト１が締め子３の締めリング３２に締められ、連動軸３３の回動により締めリング３２が縮径し、又は拡径するようになり、また、締め子３は、ロック子４を、位置決め台３１の延長片３１１に開設された貫通孔３１２に貫入して、グリップスリーブ２の第一ケーシング部２１に開設された位置決め穴２１６に締め付けるので、シャフト１にグリップスリーブ２を強固に結合可能であり、そして、グリップスリーブ２を交換しようとする場合には、連動軸３３を緩め締めリング３２を拡径すると、シャフト１からグリップスリーブ２を取り外すことができ、だから、グリップスリーブ２の交換作業は極めて容易である。
【図面の簡単な説明】
【００１９】
【図１】本考案の分解斜視図である。
【図２】本考案の組合状態の第一の方向から見た断面図である。
【図３】本考案の組合状態の第二の方向から見た断面図である。
【図４】本考案の組合状態の第三の方向から見た断面図である。
【図５】本考案の組合状態の第三の方向から見た別の断面図である。
【図６】本考案の組合状態の第三の方向から見た別の拡大断面図である。
【符号の説明】
【００２０】
１        シャフト
２        グリップスリーブ
３        締め子
４        ロック子
５        固定子
６        装飾スリーブ
１１      開口
２１      第一ケーシング部
２２      第一ケーシング部
３１      位置決め台
３２      締めリング
３３      連動軸
２１１    長い溝
２１２    中実部分
２１３    第一結合穴
２１４    窪み空間
２１５    貫通空間
２１６    位置決め穴
２２１    長い溝
２２２    中実部分
２２３    第二結合穴
２２４    浅い溝
３１１    延長片
３１２    貫通孔
３２１    長孔
３３１    螺旋
【図１】
0003140309.tif 000003
【図２】
0003140309.tif 000004
【図３】
0003140309.tif 000005
【図４】
0003140309.tif 000006
【図５】
0003140309.tif 000007
【図６】
0003140309.tif 000008